(57)【要約】【課題】防火区画用充填材として充填するパテ材を一定の厚みに支持できると共に、検査時にこの充填厚が明確にわかる防火区画貫通部用パテ支持金具を提供する。【解決手段】防火区画貫通部Ｑの開口部壁面Ｑ１に係止してねじ止めされる係止片１を設ける。係止片１から防火区画貫通部Ｑの内部に挿入する挿入片２を設ける。挿入片２から支持片３を屈曲延長する。支持片３で防火区画貫通部Ｑ内に充填するパテＰを受止める。係止片１と挿入片２とを帯状板で一体に形成する。係止片１の屈曲位置を変更すると挿入片２の長さが変更するように構成する。係止片１の長手方向に沿って直交する複数の屈曲部１Ａを連設する。各屈曲部１ＡのそばにパテＰの厚みを示す充填厚表示部１Ｂを設ける。【選択図】  図１
2015059338.tif 000002
【特許請求の範囲】
【請求項１】
防火区画貫通部に充填する防火措置用のパテを受止め支持するパテ支持金具であって、防火区画貫通部の開口部壁面に係止してねじ止めされる係止片と、該係止片から延長され防火区画貫通部の内部に挿入する挿入片と、該挿入片から屈曲延長され防火区画貫通部内部に充填されるパテを受止める支持片とで構成され、前記係止片と前記挿入片とは帯状板で一体に形成され、前記係止片の屈曲位置を変更することで、前記挿入片の長さが変更されるように構成したことを特徴とする防火区画貫通部用パテ支持金具。
【請求項２】
前記係止片の長手方向に沿って直交する複数の屈曲部が連設され、前記防火区画貫通部の開口縁に係止せしめる屈曲部を屈曲し、該開口縁に係止した屈曲部から前記支持片まで充填される前記パテの厚みを示す充填厚表示部を前記係止片に設けた請求項１記載の防火区画貫通部用パテ支持金具。
【請求項３】
前記支持片は、前記支持片の長さを変更する複数の屈曲部が形成され、前記防火区画貫通部の内部壁面から前記ケーブル側面までの距離に合わせて屈曲自在に構成された請求項１記載の防火区画貫通部用パテ支持金具。
【請求項４】
前記係止片の長手側縁に仮止め突片を設け、前記防火区画貫通部の開口部壁面に前記係止片をネジ止めするときに、該仮止め突片にて前記係止片を開口部壁面に仮止めするように構成した請求項１記載の防火区画貫通部用パテ支持金具。
【発明の詳細な説明】
【技術分野】
【０００１】
本発明は、防火区画貫通部に防火措置用のパテを充填する際に使用するパテ支持金具に係り、充填するパテ材を一定の厚みに支持すると共に、検査時にこの充填厚が明確にわかる防火区画貫通部用パテ支持金具に関するものである。
【背景技術】
【０００２】
ケーブルや合成樹脂製可撓電線管等が建築物の防火区画体（床や壁）を貫通する箇所については、火災時のケーブル等を媒体とした延焼を防ぐため、貫通部に防火処理を施す必要がある（建築基準法施行令第１２５条２の５）。
【０００３】
この防火処理の一つとして、防火区画貫通部の開口部にパテを充填し、火災発生時における貫通孔を通じての延焼を防止する手法が採用されている。ところが、開口部からパテを充填する際に、貫通孔内にどの程度の厚みまで充填しているか確認することが困難であった。
【０００４】
そこで、防火区画貫通部の開口部に充填されたシート状の防火用充填材を受止め支持する支持金具が特許文献１に記載されている。この支持金具は、シート状の防火区画用充填材を受止め支持する環状の受止め部と、この受止め部の複数箇所から挿通孔の貫通軸線方向に延出する脚部と、脚部の各先端から外方に延出された掛止め部とを有する構成である。そして、脚部の長手方向の複数箇所に、該長手方向に対して交差する方向に沿って塑性変形可能な脆弱部を形成することで、脚部を折り曲げるなどの変形操作をすることで、脚部の長さを変更することができるというものである。
【０００５】
また、外壁面と床板との間の階層間の隙間に詰める耐火材を固定する金物が特許文献２に記載されている。この金物は、床板に耐火材を固定するＬ型の金物であって、上端部がコンクリートの堰板となる鋼板を挟み込むように外側に１８０度に曲げられており、その曲げられた部分に堰板を押さえつける突起又は切り出し爪を設けたものである。
【先行技術文献】
【特許文献】
【０００６】
【特許文献１】特開２００７−２６２７３５号公報
【特許文献２】特開２００９−０４１２３６号公報
【発明の概要】
【発明が解決しようとする課題】
【０００７】
特許文献１に記載の支持金具は、シート状の防火区画用充填材を環状の受止め部が受止め支持する構成を採用しているが、防火区画用充填材として、パテを使用することは想定されていなかった。しかも、脚部を折り曲げることで脚部の長さを変更することはできるが、施工後は変更の有無を確認することはできない。そのため、施工後の検査時に、防火区画用充填材の充填厚を確認する作業が極めて難しいものになっていた。
【０００８】
一方、特許文献２に記載の金物は、床板に耐火材を固定するＬ型の金物であるが、コンクリートの堰板となる鋼板を挟み込むように構成されたものなので、この金物の使用は、堰板を使用する工事に限定されている。そのため、例えば、石膏ボードで形成した中空壁やコンクリート壁等に開穿された防火区画貫通部に使用することはできない構成であった。
【０００９】
そこで、本発明は上述の課題を解消すべく創出され、防火区画用充填材としてパテを用いる際に使用するもので、充填するパテ材を一定の厚みに支持できると共に、施工後の検査時において、この充填厚が明確にわかる防火区画貫通部用パテ支持金具の提供を目的とする。
【課題を解決するための手段】
【００１０】
上述の目的を達成すべく本発明における第１の手段は、防火区画貫通部Ｑに充填する防火措置用のパテＰを受止め支持するパテ支持金具であって、防火区画貫通部Ｑの開口部壁面Ｑ１に係止してねじ止めされる係止片１と、該係止片１から延長され防火区画貫通部Ｑの内部に挿入する挿入片２と、該挿入片２から屈曲延長され防火区画貫通部Ｑ内部に充填されるパテＰを受止める支持片３とで構成され、前記係止片１と前記挿入片２とは帯状板で一体に形成され、前記係止片１の屈曲位置を変更することで、前記挿入片２の長さが変更されるように構成したことにある。
【００１１】
第２の手段は、前記係止片１の長手方向に沿って直交する複数の屈曲部１Ａが連設され、前記防火区画貫通部Ｑの開口縁に係止せしめる屈曲部１Ａを屈曲し、該開口縁に係止した屈曲部１Ａから前記支持片３まで充填される前記パテＰの厚みを示す充填厚表示部１Ｂを前記係止片１に設けている。
【００１２】
第３の手段の前記支持片３は、前記支持片３の長さを変更する複数の屈曲部３Ａが形成され、前記防火区画貫通部Ｑの内部壁面から前記ケーブルＲ側面までの距離に合わせて屈曲自在に構成されたものである。
【００１３】
第４の手段は、前記係止片１の長手側縁に仮止め突片１Ｄを設け、前記防火区画貫通部Ｑの開口部壁面Ｑ１に前記係止片１をネジ止めするときに、該仮止め突片１Ｄにて前記係止片１を開口部壁面Ｑ１に仮止めするように構成したものである。
【発明の効果】
【００１４】
本発明の請求項１によると、係止片１と挿入片２とは帯状板で一体に形成され、係止片１の屈曲位置を変更することで、挿入片２の長さが変更されるように構成したことにより、充填するパテＰの厚みを任意の厚みで支持することができる。しかも、係止片１の屈曲位置により、挿入片２の長さがわかる構成になっている。また、石膏ボードで形成した中空壁やコンクリート壁等に開穿された防火区画貫通部など、広範囲の防火区画貫通部に使用することが可能である。
【００１５】
請求項２によると、防火区画貫通部Ｑの開口縁に係止した屈曲部１Ａから支持片３まで充填されるパテＰの厚みを示す充填厚表示部１Ｂを係止片１に設けているので、屈曲した屈曲部１Ａの充填厚表示部１Ｂによって、防火区画貫通部Ｑ内部のパテＰの充填厚を明確に確認することができる。しかも、連設された複数の屈曲部１Ａを選択することで、複数の充填厚に変更することができ、合理的な防火措置を行うことができる。
【００１６】
請求項３のように、支持片３は、支持片３の長さを変更する複数の屈曲部３Ａが形成され、防火区画貫通部Ｑの内部壁面から前記ケーブルＲ側面までの距離に合わせて屈曲自在に構成されているので、径や本数に対応して挿入片２の長さを調整できる。この結果、防火区画貫通部Ｑに挿通するケーブルＲの支持位置を調整することができるものである。
【００１７】
請求項４のごとく、係止片１の長手側縁に仮止め突片１Ｄを設けているので、石膏ボードに防火区画貫通部Ｑを開口した場合には、係止片１を開口部壁面Ｑ１に仮止めすることができる。したがって、開口部壁面Ｑ１に前記係止片１をネジ止めする作業が容易になるものである。
【図面の簡単な説明】
【００１８】
【図１】本発明の一実施例を示す斜視図である。
【図２】本発明の一使用例を示す要部斜視図である。
【図３】本発明の一使用例を示す要部断面図である。
【図４】本発明の他の使用例を示す要部断面図である。
【図５】本発明の他の使用例を示す要部正面図である。
【図６】本発明の他の使用例を示す要部正面図である。
【図７】本発明の他の実施例を示す斜視図である。
【図８】本発明の他の実施例を示す斜視図である。
【発明を実施するための形態】
【００１９】
本発明によると、防火区画用充填材としてパテを用いる際に、充填するパテ材を一定の厚みに支持できると共に、施工後の検査時にこの充填厚が明確にわかるなどといった当初の目的を達成した。
【００２０】
以下、本発明の実施例を説明する。本発明の主要構成は、係止片１、挿入片２、支持片３の各部位が１枚の板に形成されており、施工時に必要な部位を屈曲して使用する（図１参照）。
【００２１】
係止片１は、防火区画貫通部Ｑの開口部壁面Ｑ１に係止してねじ止めされる部位である。図示の係止片１には、屈曲部１Ａ、充填厚表示部１Ｂ、ネジ孔１Ｃ、仮止め突片１Ｄが形成されている（図１参照）。
【００２２】
屈曲部１Ａは、係止片１の長手方向に沿って直交するように複数連設されており、選択した屈曲部１Ａの位置で、係止片１から支持片３までの長さが変わるように構成している。そして、防火区画貫通部Ｑの開口縁に係止せしめる屈曲部１Ａを選択して屈曲し、この屈曲した屈曲部１Ａを開口縁に係止するものである。図示の屈曲部１Ａは、係止片１の長手方向に直交する複数の切り込み状に形成したもので、この切り込みに沿って係止片１を屈曲し、屈曲部１Ａを開口縁に係止する。屈曲部１Ａの選択は、パテＰの充填厚により選択するもので、この充填厚は充填厚表示部１Ｂに示されている（図２参照）。
【００２３】
充填厚表示部１Ｂは、防火区画貫通部Ｑの開口縁に係止した屈曲部１Ａから支持片３までの長さを示す表示部で、充填されるパテＰの厚みを示すものである。図示例では、各屈曲部１Ａの近傍に、それぞれの充填厚を示す数字が示されている（図１参照）。たとえば、充填厚４０mmに対応した「４０」、４２mmに対応した「４２」、２５mmに対応した「２５」を表示する。このとき、図示の充填厚表示部１Ｂのように、４０mmと４２mmとを併記し、切り込み状を成した屈曲部１Ａ内で更に細かく調整することも可能である。
【００２４】
ネジ孔１Ｃは、係止片１の長手方向に沿って複数連設されている（図２参照）。そして、選択した屈曲部１Ａを防火区画貫通部Ｑの開口縁に係止した状態で、ネジ孔１Ｃに固定ネジＳを挿入して開口部壁面Ｑ１に係止片１を固定する。
【００２５】
仮止め突片１Ｄは、係止片１の長手側縁に形成された部位である（図１参照）。この仮止め突片１Ｄは、係止片１を防火区画貫通部Ｑの開口部壁面Ｑ１にネジ止めするときに、係止片１を開口部壁面Ｑ１に差し込んで、係止片１を仮止めする（図３参照）。この仮止め突片１Ｄは、石膏ボードに防火区画貫通部Ｑを開口した場合に屈曲して使用するものである。また、防火区画貫通部Ｑがコンクリート壁面に形成されている場合は使用できないので、仮止め突片１Ｄを屈曲せずに平坦なまま係止片１の一部として使用する（図６参照）。
【００２６】
仮止め突片１Ｄの形状は任意に変更できるもので、例えば、屈曲部１Ａから連続する仮止め突片１Ｄに変更することも可能である（図７参照）。更に、係止片１をコンクリート壁面用に限定し、仮止め突片１Ｄを形成しない係止片１にすることとも可能である（図８参照）。
【００２７】
挿入片２は、係止片１から防火区画貫通部Ｑの内部に挿入する部位である（図４参照）。この挿入片２は、帯状板で係止片１と一体に形成されたもので、係止片１の屈曲位置を変更すると挿入片２の長さ、すなわちパテＰの充填厚が変更されるように設けている。
【００２８】
支持片３は、挿入片２から屈曲延長され防火区画貫通部Ｑ内部に充填するパテＰを受止める部位である（図４参照）。図示の支持片３は、予め、挿入片２の端部から屈曲形成されたもので、パテＰを支持する際に変形しない強度に形成している（図１参照）。また、図１、図８の支持片３は、挿入片２の幅よりも幅広に形成しているが、図７のように、挿入片２の幅と同じ幅にすることも可能である。
【００２９】
更に、図示の支持片３には、挿入片２の長さを変更する複数の屈曲部３Ａが形成されている（図１参照）。この切り込みに沿って挿入片２を屈曲することで、挿入片２の長さを変更する。そして、防火区画貫通部Ｑの内部壁面からケーブルＲ側面までの距離に挿入片２の長さを合わせるものである（図５参照）。図示の屈曲部３Ａは、挿入片２の長手方向に直交する複数の切り込み状に形成したもので、係止片１の屈曲部１Ａと同じ構成を成している。これら屈曲部１Ａや屈曲部３Ａは、いずれも手指で簡単に屈曲できるので、施工時に必要な部位を簡単に屈曲して使用することができる。
【００３０】
本発明支持金具の使用は、防火区画貫通部Ｑの径により、使用する支持金具の数を選択する。たとえば、防火区画貫通部Ｑの径が大きい場合は、本発明支持金具の使用本数を多くし（図５参照）、径が小さいほど使用本数を少なくできる（図６参照）。また、パテＰの充填厚は、係止片１の屈曲部１Ａを選択して係止片１から挿入片２までの長さを変更する。屈曲部１Ａ選択後は、この屈曲部１Ａを屈曲して防火区画貫通部Ｑの開口縁に係止し、係止片１を開口部壁面Ｑ１に固定ネジＳにて固定する（図４参照）。さらに、防火区画貫通部Ｑに挿通するケーブルＲの数や太さに合わせて支持片３の屈曲部３Ａを屈曲し、支持片３の長さを調整するものである（図５参照）。
【００３１】
尚、係止片１、挿入片２、支持片３等の形状は図示例に限定されるものではなく、本発明の要旨を変更しない範囲であれば他の形状に変更することも可能である。
【符号の説明】
【００３２】
Ｐ  パテ
Ｑ  防火区画貫通部
Ｑ１  開口部壁面
Ｒ  ケーブル
Ｓ  固定ネジ
１  係止片
１Ａ  屈曲部
１Ｂ  充填厚表示部
１Ｃ  ネジ孔
１Ｄ  仮止め突片
２  挿入片
３  支持片
３Ａ  屈曲部
【図１】
2015059338.tif 000003
【図２】
2015059338.tif 000004
【図３】
2015059338.tif 000005
【図４】
2015059338.tif 000006
【図５】
2015059338.tif 000007
【図６】
2015059338.tif 000008
【図７】
2015059338.tif 000009
【図８】
2015059338.tif 000010
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
防火区画貫通部に充填する防火措置用のパテを受止め支持するパテ支持金具であって、防火区画貫通部の開口部壁面に係止してねじ止めされる係止片と、該係止片から延長され防火区画貫通部の内部に挿入する挿入片と、該挿入片から屈曲延長され防火区画貫通部内部に充填されるパテを受止める支持片とで構成され、前記係止片と前記挿入片とは帯状板で一体に形成され、前記係止片の屈曲位置を変更することで、前記挿入片の長さが変更されるように構成し、
前記係止片の長手方向に沿って直交する複数の屈曲部が連設され、前記防火区画貫通部の開口縁に係止せしめる屈曲部を屈曲し、該開口縁に係止した屈曲部から前記支持片まで充填される前記パテの厚みを示す充填厚表示部を前記係止片に設けると共に、
前記係止片の長手側縁に仮止め突片を設け、前記防火区画貫通部の開口部壁面に前記係止片をネジ止めするときに、該仮止め突片にて前記係止片を開口部壁面に仮止めするように構成し、
前記支持片は、前記支持片の長さを変更する複数の屈曲部が形成され、前記防火区画貫通部の内部壁面から前記ケーブル側面までの距離に合わせて屈曲自在に構成したことを特徴とする防火区画貫通部用パテ支持金具。
【手続補正２】
【補正対象書類名】明細書
【補正対象項目名】００１０
【補正方法】変更
【補正の内容】
【００１０】
上述の目的を達成すべく本発明における第１の手段は、防火区画貫通部Ｑに充填する防火措置用のパテＰを受止め支持するパテ支持金具であって、防火区画貫通部Ｑの開口部壁面Ｑ１に係止してねじ止めされる係止片１と、該係止片１から延長され防火区画貫通部Ｑの内部に挿入する挿入片２と、該挿入片２から屈曲延長され防火区画貫通部Ｑ内部に充填されるパテＰを受止める支持片３とで構成され、前記係止片１と前記挿入片２とは帯状板で一体に形成され、前記係止片１の屈曲位置を変更することで、前記挿入片２の長さが変更されるように構成し、前記係止片１の長手方向に沿って直交する複数の屈曲部１Ａが連設され、前記防火区画貫通部Ｑの開口縁に係止せしめる屈曲部１Ａを屈曲し、該開口縁に係止した屈曲部１Ａから前記支持片３まで充填される前記パテＰの厚みを示す充填厚表示部１Ｂを前記係止片１に設けると共に、前記係止片１の長手側縁に仮止め突片１Ｄを設け、前記防火区画貫通部Ｑの開口部壁面Ｑ１に前記係止片１をネジ止めするときに、該仮止め突片１Ｄにて前記係止片１を開口部壁面Ｑ１に仮止めするように構成し、前記支持片３は、前記支持片３の長さを変更する複数の屈曲部３Ａが形成され、前記防火区画貫通部Ｑの内部壁面から前記ケーブルＲ側面までの距離に合わせて屈曲自在に構成したことにある。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
防火区画貫通部Ｑの開口縁に係止した屈曲部１Ａから支持片３まで充填されるパテＰの厚みを示す充填厚表示部１Ｂを係止片１に設けているので、屈曲した屈曲部１Ａの充填厚表示部１Ｂによって、防火区画貫通部Ｑ内部のパテＰの充填厚を明確に確認することができる。しかも、連設された複数の屈曲部１Ａを選択することで、複数の充填厚に変更することができ、合理的な防火措置を行うことができる。
【手続補正７】
【補正対象書類名】明細書
【補正対象項目名】００１６
【補正方法】変更
【補正の内容】
【００１６】
支持片３は、支持片３の長さを変更する複数の屈曲部３Ａが形成され、防火区画貫通部Ｑの内部壁面から前記ケーブルＲ側面までの距離に合わせて屈曲自在に構成されているので、径や本数に対応して挿入片２の長さを調整できる。この結果、防火区画貫通部Ｑに挿通するケーブルＲの支持位置を調整することができるものである。
【手続補正８】
【補正対象書類名】明細書
【補正対象項目名】００１７
【補正方法】変更
【補正の内容】
【００１７】
係止片１の長手側縁に仮止め突片１Ｄを設けているので、石膏ボードに防火区画貫通部Ｑを開口した場合には、係止片１を開口部壁面Ｑ１に仮止めすることができる。したがって、開口部壁面Ｑ１に前記係止片１をネジ止めする作業が容易になるものである。